(57)【特許請求の範囲】
【請求項１】
薬剤を貯溜する薬剤貯留部と、該薬剤貯留部より薬剤を所定量ずつ繰り出す繰出部と、該繰出部によって繰り出された薬剤を散布する散布部と、を具備する薬剤散布装置において、前記繰出部を、ロール部と、その両側に配置するロールガイドとをロール軸上に回転自在に支持して繰出ケース内に収納することにより構成し、前記ロールガイドと繰出ケースとが摺接する部位である摺動部に薬剤侵入防止部材を設けたことを特徴とする薬剤散布装置。
【請求項２】
前記薬剤侵入防止部材をカラーにより構成し、該カラーをロールガイドの外周部と繰出ケースとの間に配置し、前記カラーをロール部側に付勢する付勢手段をカラーと繰出ケースの間に設けたことを特徴とする請求項１に記載の薬剤散布装置。
【請求項３】
前記薬剤侵入防止部材をカバーにより構成し、前記カバーを円板状に形成してロール部とロールガイドの間に配置し、前記カバーの外周部を折り曲げて縁部とし、該縁部の先端部を繰出ケースの内側面に当接するように構成したことを特徴とする請求項１に記載の薬剤散布装置。
【請求項４】
前記薬剤侵入防止部材を第一・第二カバーにより構成し、第一カバーをロール部とロールガイドの間に取り付けて外周方向へ延出し、第二カバーを繰出ケースの内面に取り付けてロール部側へ延出し、前記第一カバーと第二カバーとが重なるように配設したことを特徴とする請求項１に記載の薬剤散布装置。
【発明の詳細な説明】
【技術分野】
【０００１】
本発明は、所定量ずつ薬剤を散布する薬剤散布装置に関する。
【背景技術】
【０００２】
従来、田植機の苗載台の後方に装着し、苗載台上の複数条分の苗マットの苗に薬剤を散布する薬剤散布装置は公知となっている（例えば、特許文献１参照）。該薬剤散布装置は、薬剤ホッパから粒状の薬剤を繰り出す繰出部において、繰出ケース内部に、複数の溝部を設けた繰出ロールを配設し、該繰出ロールの軸心方向中央には仕切板を設けるとともに、該繰出ロールの下部に複数の分岐通路を有する分岐部材を配設することで、複数条分の苗マットの苗への薬剤の散布を可能としている。
【特許文献１】特開２００８−４８６６７号公報
【発明の開示】
【発明が解決しようとする課題】
【０００３】
しかし、前記薬剤散布装置において、薬剤が投入される繰出ケースの上部では、繰出ロールと繰出ケースとが摺接する部位である摺動部が剥き出し状態となっており、砕かれて細かくなった薬剤や粉状となった薬剤が投入されると、該薬剤が摺動部に入り込み、繰出ロールや、その近傍における部材の摩耗を促進し、繰出部の耐久性を低下させる原因となっていた。そこで、本発明は、薬剤散布装置の繰出部における繰出ケース内の摺動部への薬剤の侵入を防ぎ、耐久性を向上させる技術を提供する。
【課題を解決するための手段】
【０００４】
本発明の解決しようとする課題は以上の如くであり、次にこの課題を解決するための手段を説明する。
【０００５】
即ち、請求項１においては、薬剤を貯溜する薬剤貯留部と、該薬剤貯留部より薬剤を所定量ずつ繰り出す繰出部と、該繰出部によって繰り出された薬剤を散布する散布部と、を具備する薬剤散布装置において、前記繰出部を、ロール部と、その両側に配置するロールガイドとをロール軸上に回転自在に支持して繰出ケース内に収納することにより構成し、前記ロールガイドと繰出ケースとが摺接する部位である摺動部に薬剤侵入防止部材を設けたものである。
【０００６】
請求項２においては、前記薬剤侵入防止部材をカラーにより構成し、該カラーをロールガイドの外周部と繰出ケースとの間に配置し、前記カラーをロール部側に付勢する付勢手段をカラーと繰出ケースの間に設けたものである。
【０００７】
請求項３においては、前記薬剤侵入防止部材をカバーにより構成し、前記カバーを円板状に形成してロール部とロールガイドの間に配置し、前記カバーの外周部を折り曲げて縁部とし、該縁部の先端部を繰出ケースの内側面に当接するように構成したものである。
【０００８】
請求項４においては、前記薬剤侵入防止部材を第一・第二カバーにより構成し、第一カバーをロール部とロールガイドの間に取り付けて外周方向へ延出し、第二カバーを繰出ケースの内面に取り付けてロール部側へ延出し、前記第一カバーと第二カバーとが重なるように配設したものである。
【発明の効果】
【０００９】
本発明の効果として、以下に示すような効果を奏する。
【００１０】
本発明においては、ロールガイドと繰出ケースとが摺接する部位である摺動部に薬剤侵入防止部材を設けたことにより、該摺動部に繰出ケース内に充填された薬剤が入り込むことがなくなるので、該摺動部に薬剤が侵入することにより生じる繰出ケースと繰出ロールの磨耗を防止できる。また、耐久性の向上を図ることができる。また、前記摺動部に薬剤が入り込むことがなくなるので、粒の細かな薬剤でも使用可能となり、多種多様な薬剤に適用可能な薬剤散布装置を提供することができる。
【発明を実施するための最良の形態】
【００１１】
次に、発明の実施の形態を説明する。図１は乗用田植機の側面図、図２は薬剤散布装置の繰出部の側面断面図、図３はカバーを設けた薬剤散布装置の繰出部の正面断面図、図４は同じく繰出部の部分拡大断面図、図５は第一・第二カバーを設けた薬剤散布装置の繰出部の正面断面図、図６はカラーを設けた薬剤散布装置の繰出部の正面断面図、図７はシール付軸受を設けた薬剤散布装置の繰出部の部分拡大断面図、図８は他の薬剤散布装置の繰出部の正面断面図である。
【００１２】
まず、図１、及び、図２において、本実施例に係る乗用田植機１００について説明する。尚、本発明に係る薬剤散布装置１０は田植機に装着しているが、これに限定されるものではなく、トラクタ等に装着することも可能であり、散布作業機に広く適用可能である。以下の説明では、便宜上、図１中の矢印Ａの方向を「前方」と定義する。
【００１３】
乗用田植機１００の走行部１の後部には、昇降リンク機構２７を介して植付部４が配置されており、前側上部には、エンジン２が搭載され、ボンネット９にて覆われている。前記走行部１の車体フレーム３の前方下部には、フロントアクスルケース（図示せず）を介して前輪６・６が支持されており、後方下部にはリヤアクスルケース７を介して後輪８・８が支持されている。
【００１４】
前記ボンネット９の後部には、ダッシュボード５が配設され、該ダッシュボード５には、操向ハンドル１４が立設されており、該操向ハンドル１４の後方には、座席１３が配設されている。該座席１３の近傍には、走行変速レバー３０、副変速レバー３１、主クラッチペダル３２、左右ブレーキペダル等が配設されており、前記座席１３の後方には、施肥機３３が配設されている。
【００１５】
前記植付部４は、苗載台１６、植付爪１７、植付けケース２１、フロート３４等にて構成されており、前記苗載台１６の後方には、薬剤散布装置１０が配置されている。該薬剤散布装置１０は、前記植付けケース２１から動力が伝達される構成とし、前記苗載台１６に載置されている苗マットの苗に薬剤を散布する構成としている。前記薬剤散布装置１０は、主に薬剤貯留部である薬剤ホッパ４１、繰出部４２、散布部４３等にて構成されており、支持フレーム３６等を介して前記植付けケース２１に支持されている。
【００１６】
前記薬剤ホッパ４１は、粒状の薬剤を貯留する容器であり、該薬剤ホッパ４１の上部には、蓋４１ａが設けられており、該蓋４１ａを開けて投入され貯留された薬剤は、前記繰出部４２にて所定量ずつ繰り出されて、前記散布部４３を介して苗載台１６上の苗に散布される構成としている。前記繰出部４２は、図２に示すように、主に繰出ケース４７、横溝式の繰出ロール４５Ｌ・４５Ｒ、ロール軸４９等で構成されており、略左右対称形状に構成されている。前記繰出ケース４７は、上下面が開口した箱状の部材であり、その内部には、繰出ロール４５Ｌ・４５Ｒ等が収容されている。
【００１７】
そして、前記繰出ケース４７の内部空間は、繰出ロール４５Ｌ・４５Ｒを挟んで、ブラシ３７、ブロック６７によって、上半部と下半部に区画されている。前記繰出ケース４７の上開口部４７ｂは、薬剤ホッパ４１と連通されており、該薬剤ホッパ４１から落下してきた薬剤は、繰出ケース４７の上半部の空間に充填されることになる。該繰出ケース４７の上半部の空間に充填された薬剤の一部は、前記繰出ロール４５Ｌ・４５Ｒの外周面に接触しており、更にその一部が繰出ロール４５Ｌ・４５Ｒの外周面に設けられた複数の溝３８ｂ・３８ｂ・・・に収容されることになる。
【００１８】
そして、図２において、前記繰出ロール４５Ｌ・４５Ｒをブラシ３７の方向に回転させると、繰出ロール４５Ｌ・４５Ｒの溝３８ｂ・３８ｂ・・・に収容されない余分な薬剤は、ブラシ３７により除去され、前記溝３８ｂ・３８ｂ・・・内に収容された薬剤のみが、繰出ケース４７の下半部に移動し、該溝３８ｂ・３８ｂ・・・から下方に落下する。即ち、薬剤ホッパ４１に貯留された薬剤が、繰出部４２によって所定量ずつ繰出される構成としている。
【００１９】
前記散布部４３は、繰出部４２に連結され、該繰出部４２によって繰出された薬剤を前記苗マットの苗へと案内し施薬するものであり、前記散布部４３は、主に分岐部材５１、ガイドホース５２、散布ノズル５３等から構成されている。前記繰出部４２によって繰出された薬剤は、前記分岐部材５１からガイドホース５２に案内され、該ガイドホース５２の先端に設けられている散布ノズル５３から苗マットの苗へと施薬される構成としている。
【００２０】
前記繰出部４２の繰出ケース４７には、図２・図３に示すように、左右一対の繰出ロール４５Ｌ・４５Ｒが回転自在に支持されており、該繰出ロール４５Ｌ・４５Ｒは、ロール部３８Ｌ・３８Ｒと、ロールガイド３９Ｌ・３９Ｒと、により構成されている。前記ロール部３８Ｌ・３８Ｒは、円柱形状の部材より形成されており、その外周面には複数の溝３８ｂ・３８ｂ・・・が設けられている。前記ロールガイド３９Ｌ・３９Ｒは、ロール部３８Ｌ・３８Ｒと略同寸法の外径からなるガイド部３９ａ・３９ａと、該ガイド部３９ａ・３９ａに比べて外径寸法を短くしたボス部３９ｂ・３９ｂにより形成されている。
【００２１】
前記左右一対の繰出ロール４５Ｌ・４５Ｒの間には、仕切板４８が配設されており、該仕切板４８により、前記溝３８ｂ・３８ｂ・・・内に収容された薬剤を左右に振り分けて散布部４３に繰り出すことができるようにしている。前記左右一対の繰出ロール４５Ｌ・４５Ｒは、ロール軸４９上において、コイルバネからなる付勢手段６３・６３の付勢力によって常に中央側へと付勢されている状態で回転自在に遊嵌されている。また、前記ロール軸４９には、前記左右一対の繰出ロール４５Ｌ・４５Ｒへの動力を個別に入切するクラッチ機構４６・４６が設けられている。
【００２２】
そして、前記繰出ケース４７の上開口部４７ｂにおける内側面の下側には、断面視略凹形状のガイド部４７ｄ・４７ｄが、開放側が向かい合うように左右対称に形成されており、該ガイド部４７ｄ・４７ｄの上側内面には、前記左右一対の繰出ロール４５Ｌ・４５Ｒのロールガイド３９Ｌ・３９Ｒのガイド部３９ａ・３９ａの外周面が摺接するように配設されている。前記繰出ケース４７のガイド部４７ｄ・４７ｄの上側内面と、左右一対の繰出ロール４５Ｌ・４５Ｒのロールガイド３９Ｌ・３９Ｒのガイド部３９ａ・３９ａの外周面と、が摺接する部位である摺動部Ｓ・Ｓには、薬剤侵入防止部材が設けられており、該薬剤侵入防止部材を設けることにより、前記摺動部Ｓ・Ｓに薬剤が入り込まないようにしている。
【００２３】
以下、前記薬剤侵入防止部材の実施例について説明する。図２・図３・図４において、前記薬剤侵入防止部材としてカバー４０・４０を設け、該カバー４０・４０により前記摺動部Ｓ・Ｓの磨耗を防ぐ構成について説明する。前記カバー４０・４０は、左右一対の繰出ロール４５Ｌ・４５Ｒのロール部３８Ｌ・３８Ｒと、ロールガイド３９Ｌ・３９Ｒと、の間に配設されており、前記ロール部３８Ｌ・３８Ｒと、ロールガイド３９Ｌ・３９Ｒと、が一体的に回転する構成とされている。前記カバー４０・４０は、円板形状であり、合成樹脂等の弾性部材で構成されており、前記カバー４０・４０の外周部には折り曲げられて縁部４０ａ・４０ａが形成され、全体形状として皿状に形成されている。
【００２４】
そして、前記カバー４０・４０は、縁部４０ａ・４０ａの先端部が前記繰出ケース４７の上開口部４７ｂの内側面に当接するように配設されており、弾性部材であるので、前記縁部４０ａ・４０ａの先端が繰出ケース４７の上開口部４７ｂの内側面に当接し、接触していても、該内側面を傷つけることがないようにしている。尚、前記カバー４０・４０は、前記ロール部３８Ｌ・３８Ｒと、前記ロールガイド３９Ｌ・３９Ｒと、を別体に構成としているが、これに限定されるものではなく、例えば、ロール部３８Ｌ・３８Ｒと、或いは、ロールガイド３９Ｌ・３９Ｒと、一体的に形成してもよい。
【００２５】
このように構成することによって、前記カバー４０・４０の縁部４０ａ・４０ａが、前記繰出ケース４７のガイド部４７ｄ・４７ｄの上側内面と、左右一対の繰出ロール４５Ｌ・４５Ｒのロールガイド３９Ｌ・３９Ｒのガイド部３９ａ・３９ａの外周面と、が摺接する部位である摺動部Ｓ・Ｓを覆うことになり、該摺動部Ｓ・Ｓに繰出ケース４７内に充填された薬剤が入り込むことがなくなるので、該摺動部Ｓ・Ｓに薬剤が侵入することにより生じる、繰出ケース４７のガイド部４７ｄ・４７ｄと、繰出ロール４５Ｌ・４５Ｒのロールガイド３９Ｌ・３９Ｒのガイド部３９ａ・３９ａと、の磨耗を防止できる。
【００２６】
また、前記カバー４０・４０によれば、粒の細かな薬剤でも確実に摺動部への侵入を防げることから、使用可能な薬剤の範囲を拡大することができる。さらに、前記カバー４０・４０は、弾性部材からなり、円板状の皿形形状であるので、単純な構造であり安価に製造でき経済的である。
【００２７】
次に、図５において、前記薬剤侵入防止部材として第一カバー４０・４０と、第二カバー２０・２０を設け、該第一カバー４０・４０と、第二カバー２０・２０と、により前記摺動部Ｓ・Ｓの磨耗を防ぐ構成について説明する。前記第一カバー４０・４０は、前述の左右一対の繰出ロール４５Ｌ・４５Ｒのロール部３８Ｌ・３８Ｒと、ロールガイド３９Ｌ・３９Ｒと、の間に配設された、合成樹脂等の弾性部材からなり、円板状の皿形形状で、縁部４０ａ・４０ａを有するカバー４０・４０と同じ構成である。
【００２８】
前記第二カバー２０・２０は、基端側が繰出ケース４７の上開口部４７ｂの内側面に固定されており、先端側が前記第一カバー４０・４０の縁部４０ａ・４０ａに重なるように突設されている。前記第二ガイドカバー２０・２０は、弾性部材にて構成されており、第一カバー４０・４０の縁部４０ａ・４０ａの形状に合わせて略扇状に形成されている。こうして、第二ガイドカバー２０・２０の先端側下面と、第一ガイドカバー４０・４０の縁部４０ａ・４０ａの上面と、が常に接触するようになっている。尚、前記第二ガイドカバー２０・２０の先端側を前記繰出ロール４５Ｌ・４５Ｒのロール部３８Ｌ・３８Ｒに当接するまで延出し、第一カバー４０・４０を省く構成とすることも可能である。
【００２９】
このように構成することによって、前記第二カバー２０・２０と、第一カバー４０・４０と、が重なり合った状態で、前記繰出ケース４７のガイド部４７ｄ・４７ｄの上側内面と、左右一対の繰出ロール４５Ｌ・４５Ｒのロールガイド３９Ｌ・３９Ｒのガイド部３９ａ・３９ａの外周面と、が摺接する部位である摺動部Ｓ・Ｓを覆うことになり、該摺動部Ｓ・Ｓに繰出ケース４７内に充填された薬剤が入り込むことがなくなるので、該摺動部Ｓ・Ｓに薬剤が侵入することにより生じる繰出ケース４７のガイド部４７ｄ・４７ｄと、繰出ロール４５Ｌ・４５Ｒのロールガイド３９Ｌ・３９Ｒのガイド部３９ａ・３９ａの磨耗を防止できる。
【００３０】
次に、図６において、前記薬剤侵入防止部材としてカラー５０Ｌ・５０Ｒを設け、該カラー５０Ｌ・５０Ｒにより前記摺動部Ｓ・Ｓの磨耗を防ぐ構成について説明する。前記カラー５０Ｌ・５０Ｒは、前記繰出ケース４７のガイド部４７ｄ・４７ｄの上側内面と、左右一対の繰出ロール４５Ｌ・４５Ｒのロールガイド３９Ｌ・３９Ｒのガイド部３９ａ・３９ａの外周面と、の間に設けられている。前記カラー５０Ｌ・５０Ｒは、回転しないように付勢手段６４・６４にて、前記繰出ロール４５Ｌ・４５Ｒのロール部３８Ｌ・３８Ｒ側に付勢されており、前記カラー５０Ｌ・５０Ｒが繰出ケース４７のガイド部４７ｄ・４７ｄに対して摺動しないようにして、薬剤が入り込まない構造としている。
【００３１】
前記カラー５０Ｌ・５０Ｒは、リング形状であり、前記繰出ロール４５Ｌ・４５Ｒのロールガイド３９Ｌ・３９Ｒのガイド部３９ａ・３９ａの外周部に外嵌されており、前記カラー５０Ｌ・５０Ｒの外周面は、前記繰出ロール４５Ｌ・４５Ｒのロール部３８Ｌ・３８Ｒの外周面と同一面とし、内周面は繰出ロール４５Ｌ・４５Ｒのロールガイド３９Ｌ・３９Ｒのガイド部３９ａ・３９ａの外周面に摺接するように構成されている。そして、前記カラー５０Ｌ・５０Ｒは、合成樹脂、或いは、軟鋼材等の低摩擦部材により構成し、前記繰出ケース４７のガイド部４７ｄ・４７ｄと、繰出ロール４５Ｌ・４５Ｒのロール部３８Ｌ・３８Ｒや、繰出ロール４５Ｌ・４５Ｒのロールガイド３９Ｌ・３９Ｒのガイド部３９ａ・３９ａと、の間の摩擦を減らし、摩耗しても容易に交換できるようにしている。
【００３２】
また、前記付勢手段６４・６４は、皿バネからなり、前記繰出ケース４７のガイド部４７ｄ・４７ｄの底部に設けられており、前記付勢手段６４・６４によって、前記カラー５０Ｌ・５０Ｒは、常に繰出ロール４５Ｌ・４５Ｒのロール部３８Ｌ・３８Ｒ側に付勢されているので、該繰出ロール４５Ｌ・４５Ｒのロール部３８Ｌ・３８Ｒと、カラー５０Ｌ・５０Ｒと、の間には隙間が生じないように常に付勢されることになり、長期使用によっても隙間に薬剤が入り込むことを防止できる。
【００３３】
このように、前記カラー５０Ｌ・５０Ｒを、前記繰出ケース４７のガイド部４７ｄ・４７ｄの上側内面と、左右一対の繰出ロール４５Ｌ・４５Ｒのロールガイド３９Ｌ・３９Ｒのガイド部３９ａ・３９ａの外周面と、が摺接する部位である摺動部Ｓ・Ｓに設けたことによって、該摺動部Ｓ・Ｓに繰出ケース４７内に充填された薬剤が入り込むことがなくなるので、該摺動部Ｓ・Ｓに薬剤が侵入することにより生じる繰出ケース４７のガイド部４７ｄ・４７ｄと、繰出ロール４５Ｌ・４５Ｒのロールガイド３９Ｌ・３９Ｒのガイド部３９ａ・３９ａと、の磨耗を防止できる。また、前記カラー５０Ｌ・５０Ｒと、繰出ロール４５Ｌ・４５Ｒのロールガイド３９Ｌ・３９Ｒと、は別体に構成しているので、カラー５０Ｌ・５０Ｒが摩耗した場合には簡単に交換可能であり、保守点検も容易である。
【００３４】
そして、図７に示すように、前記カラー５０Ｌ・５０Ｒに代えて、シール付軸受６５Ｌ・６５Ｒを設けることも可能である。シール付軸受６５Ｌ・６５Ｒを設けることにより、繰出ロール４５Ｌ・４５Ｒの回転ブレを抑えることもでき、摩耗による摺動部Ｓ・Ｓの隙間の発生を考慮する必要はなくなる。また、前記シール付軸受６５Ｌ・６５Ｒは、繰出ケース４７に固定保持されるため、前記付勢手段６４・６４を設ける必要もなくなる。
【００３５】
また、図８に示すように、前記カバー４０・４０を弾性部材で形成したことにより、前記ロール軸４９上において、左右一対の繰出ロール４５Ｌ・４５Ｒを常に中央側へと付勢するための、コイルバネからなる付勢手段６３・６３を省くこともできる。前記繰出ロール４５Ｌ・４５Ｒのロールガイド３９Ｌ・３９Ｒのボス部３９ｂ・３９ｂの外側端部に留め金６２Ｌ・６２Ｒを設けて規制し、前記カバー４０・４０の縁部４０ａ・４０ａの先端が繰出ケース４７の上開口部４７ｂの内側面に当接することにより生じる付勢力を利用して、繰出ロール４５Ｌ・４５Ｒのロール部３８Ｌ・３８Ｒが常に仕切板４８に押し当てられる構成とすることもできる。
【図面の簡単な説明】
【００３６】
【図１】乗用田植機の側面図。
【図２】薬剤散布装置の繰出部の側面断面図。
【図３】カバーを設けた薬剤散布装置の繰出部の正面断面図。
【図４】同じく繰出部の部分拡大断面図。
【図５】第一・第二カバーを設けた薬剤散布装置の繰出部の正面断面図。
【図６】カラーを設けた薬剤散布装置の繰出部の正面断面図。
【図７】シール付軸受を設けた薬剤散布装置の繰出部の部分拡大断面図。
【図８】他の薬剤散布装置の繰出部の正面断面図。
【符号の説明】
【００３７】
１０  薬剤散布装置
３８Ｌ  ロール部
３８Ｒ  ロール部
３９Ｌ  ロールガイド
３９Ｒ  ロールガイド
４０  カバー
４０ａ  縁部
４２  繰出部
４５Ｌ  繰出ロール
４５Ｒ  繰出ロール
４７  繰出ケース
４７ｂ  上開口部
４７ｄ  ガイド部
４９    ロール軸
５０Ｌ  カラー
５０Ｒ  カラー
６４  付勢手段
【図１】
0005061037.tif 000002
【図２】
0005061037.tif 000003
【図３】
0005061037.tif 000004
【図４】
0005061037.tif 000005
【図５】
0005061037.tif 000006
【図６】
0005061037.tif 000007
【図７】
0005061037.tif 000008
【図８】
0005061037.tif 000009